(57)【要約】【課題】構造簡易で、容易に開閉操作ができると共に、投棄されたゴミ袋が鳥獣類に破られる等してゴミが飛散することを防止するゴミ袋集積装置を提供する。【解決手段】閉成部材１５で塞がれた略垂直に起立する門型の固定フレーム１０の下端部に、少なくとも一つの門型の可動フレーム２０を、固定フレーム１０の内側に収納自在且つ集積された投棄ゴミ袋を囲うように展開自在に設け、可動フレーム２０が展開状態において、固定フレーム１０と可動フレーム２０とで形成されるゴミ袋収納空間１００を網部材３０で覆うと共に、可動フレーム２０が収納状態において、網部材３０も固定フレーム１０の内側に一緒に折り畳み収納する。【選択図】　　図１
2004035152.tif 000002
【特許請求の範囲】
【請求項１】
閉成部材で塞がれた略垂直に起立する門型の固定フレームの下端部に、少なくとも一つの門型の可動フレームを、前記固定フレームの内側に収納自在且つ集積された投棄ゴミ袋を囲うように展開自在に設け、
前記可動フレームが展開状態において、前記固定フレームと前記可動フレームとで形成されるゴミ袋収納空間を網部材で覆うと共に、
前記可動フレームが収納状態において、前記網部材も前記固定フレームの内側に一緒に折り畳み収納されていることを特徴とするゴミ袋集積装置。
【請求項２】
請求項１に記載のゴミ袋集積装置において、前記固定フレームの前記下端部は、展開させた際に略接地し、ゴミ袋を投棄する範囲を画成する門型の接地フレームが展開、収納自在に設けられたことを特徴とするゴミ袋集積装置。
【請求項３】
請求項１又は２に記載のゴミ袋集積装置において、前記可動フレームの展開、収納を行う開閉手段を設けたことを特徴とするゴミ袋集積装置。
【請求項４】
請求項１ないし３のいずれか１項に記載のゴミ袋集積装置において、前記閉成部材には、開閉自在なゴミ袋投入口を形成したことを特徴とするゴミ袋集積装置。
【発明の詳細な説明】
【０００１】
【発明の属する技術分野】
この発明は、投棄した塵芥、特に生ゴミを詰めたゴミ袋を鳥獣類に破られて荒らされることを防止するゴミ袋集積装置に関するものである。
【０００２】
【従来の技術】
従来のゴミ袋集積装置として、特開平２００２−１４５４０４号公報に記載のものが知られている。
【０００３】
このゴミ袋集積装置では、まず、折り畳まれて起立している下レール溝の円弧部を倒して接地させ、下レール溝を一体に完成させて投棄範囲を画成した後にゴミ袋をこの下レール溝の内側に投棄し、上、下レール溝間に架け渡された複数の枠棒材を、左右から中央に向かって引き戸を閉めるごとくして、枠棒材間に張られた網部材によってゴミ袋収納空間を覆い、鳥獣類がゴミ袋を破る等する被害を防止している。
【０００４】
【発明が解決しようとする課題】
しかしながら、上述のゴミ袋集積装置では、枠棒材を展開してゴミ袋収納空間を形成するために、まず、折り畳まれた下レール溝の円弧部を倒して半円状の下レール溝を形成しておく必要があった。さらに、枠棒材を上、下レール溝に沿わせながら左右に開閉しなければならず、開閉に手間がかかっていた。なお、構造が複雑で狂いが生じやすく、開閉操作がスムーズにできないことが多かった。
【０００５】
この発明は、上記問題に鑑みて、構造簡易で、容易に開閉操作ができると共に、投棄されたゴミ袋が鳥獣類に破られる等してゴミが飛散することを防止できるゴミ袋集積装置を提供することを目的としている。
【０００６】
【課題を解決するための手段】
この目的を達成するために、請求項１にかかる発明は、閉成部材で塞がれた略垂直に起立する門型の固定フレームの下端部に、少なくとも一つの門型の可動フレームを、固定フレームの内側に収納自在且つ集積された投棄ゴミ袋を囲うように展開自在に設け、可動フレームが展開状態において、固定フレームと可動フレームとで形成されるゴミ袋収納空間を網部材で覆うと共に、可動フレームが収納状態において、網部材も固定フレームの内側に一緒に折り畳み収納されていることを特徴としている。
【０００７】
請求項１の発明によれば、構造が簡単で、固定フレームの下端部近傍に投棄したゴミ袋を囲うように可動フレームを倒すように展開させるだけで、この投棄されたゴミ袋を網部材で覆うことができ、鳥獣類によりゴミ袋が破られてゴミが飛散するのを容易に防止することができる。また、可動フレームの収納と同時に網部材も折り畳み収納され、収納する場合にも容易に行うことができ、手間がかからない。
【０００８】
請求項２にかかる発明は、請求項１に記載のゴミ袋集積装置において、固定フレームの下端部は、展開させた際に略接地し、ゴミ袋を投棄する範囲を画成する門型の接地フレームが展開、収納自在に設けられたことを特徴としている。
【０００９】
請求項２の発明によれば、請求項１の効用に加え、投棄したゴミ袋を網部材で確実に覆うことができる位置を容易に分からせ、可動フレームを展開する際に、投棄したゴミ袋の積み直しや移動をする必要がなくなる。
【００１０】
また、接地フレームで支えられるため、多数のゴミ袋を重ねた場合であっても崩れることが防止できる。
【００１１】
請求項３にかかる発明は、請求項１又は２に記載のゴミ袋集積装置において、可動フレームの展開、収納を行う開閉手段を設けたことを特徴としている。
【００１２】
請求項３の発明によれば、請求項１又は２の効用に加え、開閉手段によって可動フレームを展開、収納することができ、さらに容易にゴミ袋収納空間の形成を行うことができる。
【００１３】
請求項４にかかる発明は、請求項１ないし３のいずれか１項に記載のゴミ袋集積装置において、閉成部材には、開閉自在なゴミ袋投入口を形成したことを特徴としている。
【００１４】
請求項４の発明によれば、請求項１ないし３のいずれかの効用に加え、ゴミ袋を投棄する前にあらかじめゴミ袋収納空間を形成してから、或いは、たくさんの投棄ゴミ袋が積み重ねられて上部空間だけが残ったゴミ袋収納空間に、ゴミ袋投入口からゴミ袋を投棄することができる。このため、ゴミ袋がゴミ袋収納空間からはみ出したり、重ね合わせた場合に崩れたりすることがなくなり、大量のゴミ袋を容易に集積することができる。
【００１５】
また、ゴミ袋投入口が開閉自在であるので、このゴミ袋投入口を塞ぐことができ鳥獣類が入り込むことを阻止して、投棄ゴミ袋が破かれる等の被害を防止できる。
【００１６】
【発明の実施の形態】
以下、実施の形態を示す図面に基づいてこの発明を説明する。
【００１７】
＜実施の形態１＞
この発明の実施の形態１は図１〜図５に示されている。
【００１８】
ゴミ袋集積装置１は、固定フレーム１０と、この固定フレーム１０に取り付けられた可動フレーム２０と、固定フレーム１０及び可動フレーム２０に取り付けられた網部材３０等とから構成されている。なお、ここでは、固定フレーム１０及び可動フレーム２０はステンレスやアルミ合金等の金属で形成されている。
【００１９】
固定フレーム１０は一対の支持台１０ａ、１０ｂから垂直に起立した一対の固定脚部１１、１２を有する門型を呈しており、固定脚部１１、１２の上端部を結ぶ固定上部１３が水平にされている。また、一対の固定脚部１１、１２の下端部間をアングル部材１４で連結している。
【００２０】
このアングル部材１４は、互いに直交する水平面１４ａと垂直面１４ｂとを有しており、水平面１４ａの両端部が支持台１０ａ、１０ｂ上にそれぞれ溶着固定されている。また、垂直面１４ｂは、図３〜図５に示すように、固定フレーム１０と面一になるように配置されている。そして、この固定フレーム１０と垂直面１４ｂとで囲まれた開放面は、図２に示す閉成部材１５で塞がれている。
【００２１】
閉成部材１５は、網状又は格子状で通気性を有している。しかし、多数の通気口が設けられた金属板や木板、或いは通気性を有さない板状のものであってもよい。
【００２２】
そして、アングル部材１４の上方には、複数の可動フレーム２０が連結された回転シャフト１６が水平に設けられている。
【００２３】
回転シャフト１６は、一対の固定脚部１１、１２の下端部に回動自在に保持されたパイプ体で、一方の固定脚部１１から突出した回転シャフト１６の端部１６ａには、歯車状のスプロケット１６ｂが固定して設けられている。
【００２４】
開閉手段４０は、固定フレーム１０の一方の固定脚部１１に、回動自在に設けられたスプロケット４２と、このスプロケット４２に固定された開閉レバー４３と、前述のスプロケット１６ｂと、スプロケット１６ｂ、４２間に架設された駆動チェーン４１とから構成されている。そして、開閉レバー４３を傾動することによりスプロケット４２が回転し、駆動チェーン４１によってスプロケット１６ｂを介して回転シャフト１６を回転させるようになっている。また、図５に示すように、このスプロケット４２の直径はスプロケット１６ｂの直径よりも十分に大きくされており、開閉レバー４３の傾動角より回転シャフト１６の回転角度の方が大きくなるようにされている。
【００２５】
少なくとも一つの可動フレーム２０は、固定フレーム１０よりも十分に細いパイプ体で形成された門型を呈しており、一対の可動脚部２１、２２と、この可動脚部２１、２２の上端部を結ぶ可動上部２３とを備えている。そして、固定フレーム１０に設けられた回転シャフト１６に可動脚部２１、２２の下端部が固定されるか、或いは回動角を制限されて回動自在に接続されている。
【００２６】
なお、ここでは、回転シャフト１６の内側に向かって、第１可動フレーム２０ａ、第２可動フレーム２０ｂ、第３可動フレーム２０ｃ、第４可動フレーム２０ｄ、第５可動フレーム２０ｅの５本が順に設けられている。
【００２７】
そして、この第１可動フレーム２０ａの幅Ｗ１が最も大きくなるように形成され、第２可動フレーム２０ｂの幅Ｗ２、第３可動フレーム２０ｃの幅Ｗ３、第４可動フレーム２０ｄの幅Ｗ４、第５可動フレーム２０ｅの幅Ｗ５の順に次第に小さくなるように形成されている。
【００２８】
また、第１可動フレーム２０ａの高さＨ１が最も小さくなるように形成され、第２可動フレーム２０ｂの高さＨ２、第３可動フレーム２０ｃの高さＨ３、第４可動フレーム２０ｄの高さＨ４、第５可動フレーム２０ｅの高さＨ５の順に次第に大きくなるように形成されている。
【００２９】
そして、第１可動フレーム２０ａの可動脚部２１、２２は、回転シャフト１６の両端部に溶着固定された固定プレート２４ａにそれぞれ取り付けられている。また、第２〜第５可動フレーム２０ｂ〜２０ｅの各可動脚部２１、２２は、回転シャフト１６に回動自在に設けられた接続プレート２４ｂ〜２４ｅにそれぞれ取り付けられている。
【００３０】
そして、収納した際に固定フレーム１０の内側に位置する門型の接地フレーム５０が、収納、展開自在にこの固定フレーム１０に設けられている。
【００３１】
接地フレーム５０は、収納した際に固定フレーム１０の内側に収まる幅を有する板材を屈曲し、一辺が開放した略矩形状に形成されている。そして、固定脚部１１、１２の下端部にそれぞれ取り付けられた一対の接地脚部５１、５２と、この接地脚部５１、５２の上端部を結ぶ水平な接地上部５３とを備えている。
【００３２】
接地脚部５１、５２の下端部は、閉成部材１５の反対側に向かって回動可能に取り付けられ、接地上部５３の両端部には、それぞれ切欠部５４が形成されている。
【００３３】
網部材３０は、柔軟性及び通気性を備えるように、木綿、麻等の天然繊維、或いは、ナイロン、ポリエチレン等の人工繊維で網目が作られており、端部が固定フレーム１０の固定脚部１１、１２及び固定上部１３に一体に固着され、可動フレーム２０を展開した際に、固定フレーム１０と可動フレーム２０とで形成されるゴミ袋収納空間１００を覆うと共に、可動フレーム２０を収納した際に、固定フレーム１０の内側に一緒に折り畳み収納されるように、可動フレーム２０に取り付けられている。
【００３４】
なお、この網部材３０は、第１〜第５可動フレーム２０ａ〜２０ｅの可動脚部２１、２２及び可動上部２３に着脱自在に設けられた複数のクリップ３１で、適宜挟み込まれて固定されている。また、部分的に溶着したり、紐で縛ったりしてもよい。
【００３５】
そして、このゴミ袋集積装置１は、図３に示すような通常状態において、全ての可動フレーム２０及び接地フレーム５０が略垂直に起立し、固定フレーム１０の内側に収納されている。なお、図示しない固定手段によって可動フレーム２０及び接地フレーム５０が起立状態に保持されている。この固定手段は、固定フレーム１０と可動フレーム２０又は接地フレーム５０とにそれぞれ設けられて互いに係合しあうロック機構や、開閉レバー４３の傾動を防止するロック機構であってもよい。
【００３６】
そして、このとき、接地フレーム５０の接地上部５３の両端部に設けられた切欠部５４内に、可動フレーム２０の可動脚部２１、２２がそれぞれ入り込み、接地フレーム５０が固定フレーム１０の外側にはみ出ることはない。
【００３７】
また、開閉レバー４３は、図５に一点鎖線で示すように起立しており、固定フレーム１０の一方の固定脚部１１の側方に位置している。
【００３８】
また、このゴミ集積装置１を使用するには、まず、閉成部材１５の反対側に立ち、図示しない固定手段を解除してから接地フレーム５０の接地上部５３を手で持って、図４において時計回り方向に向かって回動させて展開する。
【００３９】
なお、このとき、接地フレーム５０に把持部を形成し、この把持部を握って手動で展開させてもよい。
【００４０】
そして、図４に示すように、接地フレーム５０が略水平になる位置まで時計回り方向に回転させたら、この接地フレーム５０及び閉成部材１５によって囲まれた場所にゴミ袋（図示せず）を投棄する。このように、接地フレーム５０を回転させるだけで、ゴミ袋を投棄する範囲を容易に画成することができる。また、多数のゴミ袋を積み重ねる場合には、地上から起立した接地フレーム５０によって、集積したゴミ袋を支え、ゴミ袋の山が崩れることを防止できる。
【００４１】
そして、ゴミ袋を投棄した後に、図５に矢印で示すように時計回り方向に向かって開閉レバー４３を傾動させる。
【００４２】
この開閉レバー４３の傾動に伴ってスプロケット４２が時計回り方向に回転し、このスプロケット４２に取り付けられた駆動チェーン４１を介して、スプロケット１６ｂが時計回り方向に回転する。このとき、スプロケット４２の直径はスプロケット１６ｂの直径よりも十分に大きくされているので、スプロケット４２を僅かに回転させるだけでスプロケット１６ｂを大きく回転させることができる。
【００４３】
そして、スプロケット１６ｂの回転によって駆動シャフト１６が時計回り方向に回転し、さらに、この駆動シャフト１６の回転に伴って、駆動シャフト１６に固定プレート２４ａで固定された第１可動フレーム２０ａが時計回り方向に展開する。
【００４４】
この第１可動フレーム２０ａが展開すると、この第１可動フレーム２０ａに取り付けられた網部材３０が引っ張られ、第２可動フレーム２０ｂが重力によって展開する。そして、第１可動フレーム２０ａをさらに展開すると、網部材３０がさらに引っ張られ、第３可動フレーム２０ｃ、第４可動フレーム２０ｄ、第５可動フレーム２０ｅが順次重力によって時計方向に向かって展開される。
【００４５】
ここで、第１〜第５可動フレーム２０ａ〜２０ｅは、それぞれの展開角度が網部材３０によって制限されており、その所定の角度で保持される。
【００４６】
また、このとき、第１〜第５可動フレーム２０ａ〜２０ｅの重量によって作業者に負担がかからないように、図５に示す補助バネＸを可動フレーム２０（特に、第１可動フレーム２０ａ）と固定フレーム１０等との間に介在させてもよい。
【００４７】
そして、第１可動フレーム２０ａを略水平になる位置まで展開させて、固定フレーム１０と可動フレーム２０とゴミ袋収納空間１００を形成し、さらにこのゴミ袋収納空間１００内に投棄されたゴミ袋（図示せず）を網部材３０によって覆う。
【００４８】
このように、固定フレーム１０及び可動フレームによって形成されたゴミ袋収納空間１００内に投棄されたゴミ袋を網部材３０によって覆うことができるので、鳥獣類にゴミ袋が破られてゴミ、特に生ゴミが飛散する等の被害を防止することができる。
【００４９】
一方、ゴミ袋をさらに投棄する場合や、投棄されたゴミ袋を回収する場合には、開閉レバー４３を展開時と反対方向（図５において、反時計方向）に向かって傾動させる。
【００５０】
この開閉レバー４３の傾動に伴ってスプロケット４２が反時計方向に回転し、このスプロケット４２に取り付けられた駆動チェーン４１を介して、スプロケット１６ｂが反時計方向に回転する。
【００５１】
そして、スプロケット１６ｂの回転によって駆動シャフト１６が反時計方向に回転し、さらに、この駆動シャフト１６の回転に伴って、駆動シャフト１６に固定プレート２４ａで固定された第１可動フレーム２０ａが反時計方向に向かって収納されていく。
【００５２】
この第１可動フレーム２０ａが収納されていくと、第２可動フレーム２０ｂが当接し、第１可動フレーム２０ａと第２可動フレーム２０ｂとの間に位置する網部材３０は、この第１、第２可動フレーム２０ａ、２０ｂとの間に挟まれて折り畳まれていく。
【００５３】
このようにして開閉レバー４３を傾動させて、第１可動フレーム２０ａ〜第５可動フレーム２０ｅまでを固定フレーム１０内に収納させてから、ゴミ袋をさらに投棄したり、投棄されたゴミ袋を回収したりする。
【００５４】
また、このゴミ袋の回収が終了したときには、上述のように可動フレーム２０を収納した後に、接地フレーム５０を図４において反時計方向に向かって回転させて、固定フレーム１０内に収納する。
【００５５】
なお、このとき、あらかじめ収納しておいた可動フレーム２０の可動脚部２１、２２が、接地フレーム５０の接地上部５３に形成した切欠部５４に入り込み、接地フレーム５０の全体を固定フレーム１０内に収納することができる。
【００５６】
以上説明したように、ゴミ袋を投棄してから開閉手段である開閉レバー４３を傾動させれば、投棄したゴミ袋を固定フレーム１０及び可動フレーム２０とで形成されたゴミ袋収納空間１００内に納めることができると共に、網部材３０で覆って鳥獣類によってゴミ袋が破られたりする等の被害を防ぐことができる。
【００５７】
また、ゴミ袋を投棄しない場合は、開閉レバー４３を傾動させて可動フレーム２０を固定フレーム１０内に収納して、設置スペースを縮小化することができ、道路等に設置しても歩行や交通の邪魔になりにくい。
【００５８】
＜実施の形態２＞
この発明の実施の形態２は図６及び図７に示されている。なお、前記実施の形態１と同一ないし均等な部位、部材については同一の符号を付して、重複した説明を省略する。
【００５９】
図中２はゴミ袋集積装置であり、固定フレーム１０の固定脚部１１、１２の下端部に、この固定フレーム１０の一方の開放面に向かって展開可能な三本の可動フレーム２０が設けられている。そして、固定フレーム１０と各可動フレーム２０とには網部材３０が取り付けられている。
【００６０】
また、他方の開放面には図７に示すように、この他方の開放面を横断し、且つ、固定フレーム１０の固定上部１３とアングル部材１４との間を支持する支柱６１が設けられている。そして、この支柱６１を挟んで、左右に並列する第１、第２ゴミ袋投入口６２、６３が形成されている。
【００６１】
第１ゴミ袋投入口６２は、一方の固定脚部１１に複数のヒンジ金具６４で取り付けられた閉成部材としての第１扉６５ａと、支柱６１に複数のヒンジ金具６４で取り付けられた閉成部材としての第２扉６５ｂとで開閉自在にされている。
【００６２】
第１、第２扉６５ａ、６５ｂは、それぞれ格子状、或いは網状に多数の金属線で形成されている。なお、この第１、第２扉６５ａ、６５ｂを閉塞状態に保持するロック手段は、必要に応じて設けられる。
【００６３】
また、第２ゴミ袋投入口６３も、上述と同様な閉成部材としての第３扉６５ｃ及び第４扉６５ｄで開閉自在にされている。
【００６４】
このように、固定フレーム１０に閉塞可能なゴミ袋投入口６２、６３を形成したことにより、ゴミ袋を投棄する前にあらかじめ可動フレーム２０を展開させてゴミ袋収納空間１００を形成した後に、第１〜第４扉６５ａ〜６５ｄを開けてゴミ袋をゴミ袋収納空間１００内に投棄することができる。
【００６５】
これにより、投棄したゴミ袋が可動フレーム２０に接触して可動フレーム２０が展開できなくなったり、ゴミ袋が挟まったりすることがなくなる。
【００６６】
また、このゴミ袋投入口６２、６３から、投棄されたゴミ袋を回収することもできる。そのため、例えば、車道と歩道との境界近傍にこのゴミ袋集積装置２の固定フレーム１０を設置し、歩道側に向かって可動フレーム２０を展開可能にした場合では、歩道側から可動フレーム２０を展開、収納してゴミ袋を投棄し、車道側から第１〜第４扉６５ａ〜６５ｄを開閉してゴミ袋を回収することができ、ゴミ袋の回収も容易に行うことができる。
【００６７】
なお、図５に２点鎖線で示すように、固定フレーム１０の一方の開口面に上述の実施の形態１に記載したような閉成部材１５の、例えば上部の一部にゴミ袋投入口を設けると共に、このゴミ袋投入口に上又は下方向に開閉自在な扉を設けてもよい。
【００６８】
＜実施の形態３＞
この発明の実施の形態３は図８ないし図１１に示されている。なお、前記実施の形態１及び２と同一ないし均等な部位、部材については同一の符号を付して、重複した説明を省略する。
【００６９】
図中３はゴミ袋集積装置であり、断面Ｌ字状のアングル部材１４に、固定フレーム１０´が略垂直に設けられると共に、固定フレーム１０´の内側に複数の可動フレーム２０´を傾動自在に保持する保持軸７０が取り付けられている。そして、固定フレーム１０´と各可動フレーム２０´とには網部材３０が複数のクリップ３１によって着脱自在に取り付けられている。
【００７０】
固定フレーム１０´は、パイプ体を門型に屈曲して形成され、一方の開口面が格子状の閉成部材１５で閉塞されている。そして、この固定フレーム１０´の固定脚部１１´、１２´には、それぞれスリット１１´ａ、１２´ａが形成され、このスリット１１´ａ、１２´ａに、アングル部材１４の両端部から垂直に延在された支持板７１が嵌合している。さらに、支持板７１と固定脚部１１´、１２´の下端部とは固定手段、例えば複数のリベット７２で固定されている。
【００７１】
可動フレーム２０´は、固定フレーム１０´と同径のパイプ体を門型に屈曲して形成されている。そして、この可動フレーム２０´の可動脚部２１´、２２´には、それぞれスリット２１ａ、２２ａが形成され、このスリット２１´ａ、２２´ａと保持軸７０に回転自在に取り付けられた取付板７３とが嵌合している。さらに、取付板７３と可動脚部２１´、２２´の下端部とは複数のリベット７４で固定されている。
【００７２】
なお、ここでは、アングル部材１４の内側に向かって第１可動フレーム２０´ａ、第２可動フレーム２０´ｂの２本が順に設けられ、第１可動フレーム２０´ａよりも第２可動フレーム２０´ｂの方が幅及び高さが小さくなるように形成されている。
【００７３】
また、図示しない固定手段が固定フレーム１０´と可動フレーム２０´との間に設けられ、可動フレーム２０´を展開する際に手動によって固定手段を解除してから、可動フレーム２０´を手動で展開させる。
【００７４】
保持軸７０は、アングル部材１４から垂直に延在された複数の保持板７０ａによって水平に保持され、保持板７０ａの両側にはそれぞれ円盤状のスペーサ７０ｂが嵌め込まれている。また、保持軸７０の両端部には図示しない割ピンが取り付けられ、保持板７０ａから抜けないようにしている。
【００７５】
なお、保持板７０ａは可動フレーム２０´を挟むように位置し、可動フレーム２０´の位置ずれを防止している。
【００７６】
さらに、アングル部材１４の両端部の下面には、図１１に示すように、水平に延在された支持プレート７６が取り付けられている。そして、この支持プレート７６と固定フレーム１０´の固定脚部１１´、１２´との間には、例えば両端を潰したパイプ体のステー７７が架け渡され、固定フレーム１０´の倒れを防止している。
【００７７】
このようなゴミ袋集積装置３は、構造が非常に簡易になり、製造コストを抑制して製作することができる。また、重量が軽いので容易に移動することができて、通行等の邪魔になりにくく、所望の場所に簡単に設置することができる。
【００７８】
また、固定フレーム１０´及び可動フレーム２０´は個別に交換することが容易にできるので、破損した場合等にすぐに取り替えることができる。
【００７９】
【発明の効果】
この発明によれば、構造簡易で、容易に開閉操作ができると共に、投棄されたゴミ袋が鳥獣類に破られる等してゴミが飛散することを防止するゴミ袋集積装置を提供することができる。
【図面の簡単な説明】
【図１】この発明にかかるゴミ袋集積装置の収納時及び展開時を示す正面図である。
【図２】この発明にかかるゴミ袋集積装置の背面図である。
【図３】図１の収納時の断面図である。
【図４】図１収納時の断面図である。
【図５】開閉手段を示す説明図である。
【図６】この発明にかかるゴミ袋集積装置の第２実施例で収納時及び展開時を示す正面図である。
【図７】この発明にかかるゴミ袋集積装置の第２実施例の背面図である。
【図８】この発明にかかるゴミ袋集積装置の第３実施例で収納時及び展開時を示す正面図である。
【図９】図８におけるＡ部の左方向から見た拡大図である。
【図１０】図８におけるＡ部の拡大断面図である。
【図１１】図８の展開時の左方向から見た場合の側面図である。
【符号の説明】
１　　　　　　　　　　　ゴミ袋集積装置
１０　　　　　　　　　　固定フレーム
２０　　　　　　　　　　可動フレーム
１５、６５ａ、６５ｂ　　閉成部材
３０　　　　　　　　　　網部材
１００　　　　　　　　　ゴミ袋収納空間
【図１】
2004035152.tif 000003
【図２】
2004035152.tif 000004
【図３】
2004035152.tif 000005
【図４】
2004035152.tif 000006
【図５】
2004035152.tif 000007
【図６】
2004035152.tif 000008
【図７】
2004035152.tif 000009
【図８】
2004035152.tif 000010
【図９】
2004035152.tif 000011
【図１０】
2004035152.tif 000012
【図１１】
2004035152.tif 000013